(57)【要約】    【課題】  従来、操作表示部にある節電キーを操作すると節電モードへ移行するが、このときの節電モードはプレヒートモードである。また節電キーの操作方法に応じて移行する節電モードを異ならせるものもあるが、結局簡単な操作方法で節電キーを操作してしまう。    【解決手段】  例えば、節電モードとしてプレヒートモードとスリープモードを有する画像形成装置で、オートプレヒートタイムをオートスリープタイムより短く設定した場合は、安定待機状態で節電キーを操作するとプレヒートモードへ移行し、オートプレヒートタイムをオートスリープタイムより長く設定した場合は、安定待機状態で節電キーを操作するとスリープモードへ移行するので、節電キーを操作した場合に移行する節電モードは、この画像形成装置が重視している節電モードに移行し、上記課題を解決できる。    【選択図】    図２
2005217981.tif 000002
【特許請求の範囲】
【請求項１】
画像形成動作終了後または操作終了後に第１の所定時間が経過すると、第１の節電モードへ移行する第１のオート節電モード移行手段と、画像形成動作終了後または操作終了後に第２の所定時間が経過すると、第２の節電モードへ移行する第２のオート節電モード移行手段と、操作することにより第３の節電モードへ移行させる節電キーと、前記第１の所定時間を設定する第１の所定時間設定手段と、前記第２の所定時間を設定する第２の所定時間設定手段と、前記第１の所定時間が前記第２の所定時間より短く設定された場合は、前記第３の節電モードは前記第１の節電モードと同じ節電モードとし、前記第１の所定時間が前記第２の所定時間より長く設定された場合は、前記第３の節電モードは前記第２の節電モードと同じ節電モードとなる第３の節電モード変更手段と、を有することを特徴とする画像形成装置。
【請求項２】
前記第１の節電モードは、操作表示部を消灯するとともに定着装置をプレヒート温度で維持する低電力モードで、前記第２の節電モードは、操作表示部を消灯するとともに定着装置をオフし、かつプリンタジョブやファクシミリデータを受信できる状態のスリープモードであることを特徴とする請求項１記載の画像形成装置。
【請求項３】
前記節電キーの近傍に設けられた節電表示部と、この節電表示部は安定待機状態では、前記第３の節電モードが前記第１の節電モードと同じ節電モードのときは第１の表示を行い、前記第３の節電モードが前記第２の節電モードと同じ節電モードのときは第２の表示を行う節電表示部制御手段を有することを特徴とする請求項１、２に記載の画像形成装置。
【請求項４】
前記第１の所定時間と前記第２の所定時間が同じ時間に設定された場合は、前記第３の節電モードは前記第１の節電モードと前記第２の節電モードのうち、節電効果の高い節電モードへ移行させることを特徴とする請求項１〜３に記載の画像形成装置。
【発明の詳細な説明】
【技術分野】
【０００１】
本発明は、コピー機能を有するデジタル複写機、ファクシミリ、複合装置などの画像形成装置について、特に所定時間画像出力や操作がない場合や、節電キーを操作した場合には、操作表示部を消して消費電力を節約する節電モードを有する画像形成装置に関する。
【背景技術】
【０００２】
従来のデジタル複写機、ファクシミリ、複合装置では、定着装置の温度を予熱温度にした省エネ効果の少ない第１の節電モードと、定着をオフするなど高い省エネ効果の得られる第２の節電モードの２つの節電モードを有するものにおいて、印字や操作がされない状態が短い時間であれば第１の節電モードになり、さらに放置すると第２の節電モードになる。また節電キーを単押しした場合は第１の節電モードになり、長押しした場合は第２の節電モードになるものが提案されている（例えば特許文献１を参照。）。同様に、第１の節電モードと、この第１の節電モードより高い省エネ効果の得られる第２の節電モードの２つの節電モードを有するものにおいて、印字や操作がされない状態が短い時間であれば第１の節電モードになり、さらに放置すると第２の節電モードになる。また節電キーを第１の操作方法で行った場合は第１の節電モードになり、第１の操作方法で行った場合は第２の節電モードになるものが提案されている（例えば特許文献２を参照。）。
【０００３】
また、これらの画像出力や操作がない場合の節電モードや電源オフへ移行する時間の設定できる複写機も提案されている（例えば特許文献３を参照。）。
【０００４】
その他、感光体ドラムの結露ヒータの状態に応じて、節電キーを操作したときに切り替わる節電モードを決定するものもある（例えば特許文献４を参照。）。
【０００５】
このように従来から、２つ以上の節電モードを有しているものは、条件や操作方法に応じていずれかの節電モードになるものがある。
【特許文献１】特開２００１−１１１７３２号公報
【特許文献２】特開２００１−１８８４４２号公報
【特許文献３】特開平６−６４９６号公報
【特許文献４】特開平９−１０６２２５号公報
【発明の開示】
【発明が解決しようとする課題】
【０００６】
しかし、前記特許文献１、２の技術では、節電キーを操作したユーザーの意志のみで、いずれの節電モードに切り替わるかが決定されるものであり、意識しなければ簡単な操作方法によって切り替わる節電モードに移行することが圧倒的に多くなる。前記特許文献３の技術では、節電キーを操作した場合は、１つの節電モードへしか移行しない。前記特許文献４の技術では、結局は結露ヒータのオン／オフに従って節電モードが切り替わるので、気温や湿度などの外部要因に影響を受けてしまう。さらに、これらの特許文献には、節電モードに移行してから何れの節電モードであるかを表示することはあるが、予め節電キーを操作するとどのような節電モードに移行するのかの表示がされているものはない。
【０００７】
本願発明は、２つ以上の節電モードを有する画像形成装置で、設置されたオフィスなどで何れの節電モードが求められているかを判断して、その結果に応じて節電キーを操作したときに移行する節電モードを切り替えることのできる画像形成装置を提供することを目的としている。さらに、２つ以上の節電モードへ切り替わるので、節電モードに切り替わる前から何れの節電モードになるのかをユーザーに知らせる必要がある。
【課題を解決するための手段】
【０００８】
上記目的を達成するために、本願第１の発明は、画像形成動作終了後または操作終了後に第１の所定時間が経過すると、第１の節電モードへ移行する第１のオート節電モード移行手段と、画像形成動作終了後または操作終了後に第２の所定時間が経過すると、第２の節電モードへ移行する第２のオート節電モード移行手段と、操作することにより第３の節電モードへ移行させる節電キーと、前記第１の所定時間を設定する第１の所定時間設定手段と、前記第２の所定時間を設定する第２の所定時間設定手段と、前記第１の所定時間が前記第２の所定時間より短く設定された場合は、前記第３の節電モードは前記第１の節電モードと同じ節電モードとし、前記第１の所定時間が前記第２の所定時間より長く設定された場合は、前記第３の節電モードは前記第２の節電モードと同じ節電モードとなる第３の節電モード変更手段とを有することを特徴とする画像形成装置を用いる。
【０００９】
本願第２の発明は、前記第１の節電モードは、操作表示部を消灯するとともに定着装置をプレヒート温度で維持する低電力モードで、前記第２の節電モードは、操作表示部を消灯するとともに定着装置をオフし、かつプリンタジョブやファクシミリデータを受信できる状態のスリープモードであることを特徴とする第１の発明に記載の画像形成装置を用いる。
【００１０】
本願第３の発明は、前記節電キーの近傍に設けられた節電表示部と、この節電表示部は安定待機状態では、前記第３の節電モードが前記第１の節電モードと同じ節電モードのときは第１の表示を行い、前記第３の節電モードが前記第２の節電モードと同じ節電モードのときは第２の表示を行う節電表示部制御手段を有することを特徴とする第１、２の発明に記載の画像形成装置を用いる。
【００１１】
本願第４の発明は、前記第１の所定時間と前記第２の所定時間が同じ時間に設定された場合は、前記第３の節電モードは前記第１の節電モードと前記第２の節電モードのうち、節電効果の高い節電モードへ移行させることを特徴とする請求項１〜３に記載の画像形成装置を用いる。
【発明の効果】
【００１２】
通常の複写機や複合機、ファクシミリ装置などは、印字や操作から所定時間経過すると自動的に節電モードに移行する、オートプレヒートモードやオートスリープモードの所定時間の設定は、初期設定のまま使うか、もしくはそのマシンの設置された職場のマシン管理者などが設定を行っている、またはマシンを設置したユーザーの要望に応じてサービスマンが設定するなどのパターンが考えられる。このときマシンの管理者が設定を行った場合や、サービスマンが設定を行った場合、頻繁に複写機を使用するオフィスでは、少しでも節電効果をあげるためにオートプレヒートタイムは短く設定され、オートスリープへ移行する時間はかなり長く設定される。これは頻繁に使われるので、すぐコピーできる状態で待機しつつ節電効果を上げ、かつ電源が切れるなどの復帰に時間がかかる状態にはしないという目的でそのようになる。一方、あまり複写機を使用しないオフィスにおいては、すぐにコピーできる状態を維持する必要がないのに、プレヒート状態で電力を消費するのは無駄なため、スリープモードなどの節電効果の高い節電モードに短い時間で移行するように設定されることが多い。このようにプレヒートモードやスリープモードへの移行時間には、マシンの設置されたオフィスの状況が反映されており、オートプレヒートが重視される職場では、オートスリープタイムよりオートプレヒートタイムを短く設定している。同じく、オートスリープが重視される職場では、オートプレヒートタイムよりオートスリープタイムを短く設定していることがわかる。
【００１３】
そこで、本願第１の発明を用いれば、第１の節電モードと第２の節電モードを有する画像形成装置において、第１の節電モードへ移行する時間が短い場合は、第１の節電モードが重視されていると判断し、節電キーを操作した場合に第１の節電モードへ移行し、第２の節電モードへ移行する時間が短い場合は、第２の節電モードが重視されていると判断し、節電キーを操作した場合に第２の節電モードへ移行するので、結果として、節電キーを操作した場合に、そのオフィスなどで重視している節電モードに移行することになる。
【００１４】
本願第２の発明を用いれば、第１の発明において、第１の節電モードはすぐに印字できる軽い節電モードの低電力モードで、第２の節電モードは、コピーよりもプリンタやファクシミリ受信の多い職場で有効なスリープモードであり、この２つの節電モードを有する画像形成装置においては、オフィスで重視している節電モードが反映されやすく、より効果が得られる。
【００１５】
本願第３の発明を用いれば、節電キーを操作したときに切り替わる節電モードが２つ以上ある場合に、予め切り替わる節電モードを知ることができるので、例えばプレヒートモードへ切り替えるつもりがスリープモードへ移行されて、次のユーザが復帰させるのに待たされることや、スリープモードへ切り替えるつもりが、プレヒートモードにしか切り替わらず、無駄な電力を消費してしまうということが少なくなる。
【００１６】
本願第４の発明を用いれば、第１の節電モードへ移行する時間と、第２の節電モードへ移行する時間が同じ場合は、明らかに節電効果の高い節電モードへ移行するので、ユーザーの意図が反映されている。例えば、プレヒートモードへの移行時間とスリープモードへの移行時間が同じ時間が設定されている場合は、本来、印字や操作から所定時間がたった場合にスリープモードへしか移行しない設定といえる。この場合は節電キーを操作した場合にもスリープモードへ移行するのがユーザーの意図に適していると言える。
【発明を実施するための最良の形態】
【００１７】
本願発明を採用する複合装置を図１の概略図に基づいて説明する。同図にこの複合装置１はコピー、プリンタ、ファクシミリ、スキャナの機能を有する複合装置で、ＣＰＵ２、ＲＯＭ３、ＲＡＭ４、メール作成手段５、プリンタコントローラ６、プリンタ部７、後処理装置用Ｉ／Ｆ８、後処理装置９、操作パネル１０、スキャナ用Ｉ／Ｆ１１、スキャナ部１２、ＤＦ１３、バッファーメモリ１４、ビットマップメモリ１５、ＣＯＤＥＣ１６、モデム１７、ＮＣＵ１８、公衆回線１９、ネットワークＩ／Ｆ２０、バス２１などから構成されている。またこの複合装置１はネットワークケーブル２２を介してＰＣ（２４，２５）やプリンタ２３と接続されている。
【００１８】
詳しくは、前記ＣＰＵ２は当該画像形成装置１の各構成を制御しており、各種プログラムを記憶した前記ＲＯＭ３、ユーザーチョイスデータ、設定情報、トータルカウントデータ、各種フォントデータなどを記憶した前記ＲＡＭ４に接続されている。
【００１９】
メール作成手段５は、スキャナ部１２で読み取られた画像データを、予め登録した相手先へ電子メールに添付して送信するときの電子メールを作成する手段である。
【００２０】
前記プリンタコントローラ６は、接続されたパソコンから送信され、バッファメモリ１４の受信領域に格納されているプリントコマンド（ＰＤＬ）やジョブ情報を解析し、中間言語情報を生成するものである。この中間言語情報はバッファメモリ１４の中間言語情報記憶領域に格納される。
【００２１】
前記プリンタ部７は、前記ビットマップメモリ１５に展開されている画像データを順次このプリンタ部７の作像部のＬＳＵ又はＬＰＨなどの潜像を書き込む光学装置に送り、この作像部でトナー像を形成し、これを給紙カセットから順次給紙、搬送される用紙に転写し、定着、排紙される。
【００２２】
前記後処理装置用Ｉ／Ｆ８と前記後処理装置９は、この複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００２３】
前記操作パネル１０は、図２に示すように大型のＬＣＤデバイスであるＬＣＤ表示部１０１、スタートキー１０２、ストップクリアキー１０３、リセットキー１０４（オールクリアキー）、初期設定キー１０５、節電キー１０６などの複数の操作キーから構成されている。この節電キー１０６の内部には、安定待機状態では消灯し、節電モードにおいては点灯するＬＥＤが内蔵されている。この画像形成装置は複合装置なので操作表示部はコピー機能画面、プリンタ機能画面、ファクシミリ機能画面、スキャナ機能画面を操作パネル１０の左にある選択キーにより切り替え可能である。
【００２４】
前記ＬＣＤ表示部１０１に表示される画面は、図３に示す基本画面と、この画面の下にある複数のタブのうち「ユーザー機能」を選択すると図４に示す「ユーザー機能画面」（機能画面の１つ）が表示される。さらに「機能リスト」のタブを選択すると図５に示す「機能リスト画面」（機能画面の１つ）が表示される。また、例えば機能リストにある「集約」キーを選択すると、「集約機能画面」（機能画面の１つ）が表示される。
【００２５】
前記初期設定キー１０５を操作すると、図６に示す初期設定画面に切り替わり、この画面に表示されている「マシン初期設定」キーを選択すると、図７に示すコピー初期設定画面に切り替わる。この画面ではこの複合装置の共通の各初期設定を変更可能である。ここではオートプレヒートタイムは１５分に、オートスリープタイムは４５分に設定されている。これらを変更したい場合は、このリストの中から選択して、画面の右下にある「設定値変更」キーを操作して画面を切り替えて行う。
【００２６】
たとえば、上記マシン初期設定画面でオートプレヒートを選択して、「設定値変更」キーを操作すると、画面は図８に示すオートプレヒートタイムを設定する画面に切り替わり、図中にある「＋」キーと「−」キーを操作してオートプレヒートタイムを変更することができる。ここでは１５分の設定となっている。また上記マシン初期設定画面でオートスリープを選択して、「設定値変更」キーを操作すると、画面は図９に示すオートスリープタイムを設定する画面に切り替わり、図中にある「＋」キーと「−」キーを操作してオートスリープタイムを変更することができる。ここでは４５分の設定となっている。
【００２７】
前記節電キー１０６を操作したときの処理、節電キー１０６に内蔵されたＬＥＤの表示制御に関しては、後に詳しく説明する。
【００２８】
スキャナＩ／Ｆ１１は、この複合装置１の上に置かれたスキャナ部１２とケーブルを介して接続し、このスキャナ部１２とＤＦ１３を制御するためのインターフェースである。
【００２９】
前記スキャナ部１２は、ＤＦ１３で１枚づつフィードされる、または１枚をコンタクトガラス上に置いた原稿にハロゲンランプまたは蛍光灯で光を当てその反射光をＣＣＤセンサで読み取り、このアナログ信号をＡ／Ｄ変換でデジタル信号に変換し画像処理部で画像処理をして後段のビットマップメモリ１５に展開していく。このビットマップメモリ１５は、前記スキャナ部１２からの画像データの他、ネットワークなどを介して接続されたパソコンから転送されてくるプリントコマンドを前記プリンタコントローラ７で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
【００３０】
前記バッファメモリ１４は、上述した受信画像領域や中間言語領域の他、通常メモリコピーやファクシミリのメモリ送信、予約送信を行う場合に、スキャナ部１２で読み取った画像データをＣＯＤＥＣ１６で符号化して記憶する。またスキャナ機能を用いる場合は、スキャナ部１２で読み取った画像データをＣＯＤＥＣ１６で符号化して記憶したものを外部のパソコンから読み取ることもできるし、同じようにファクシミリのポーリング機能では、相手方ファクシミリから読み出すことも可能である。近年は画像形成装置に比較的大きい容量の画像データ格納用のハードディスクを用いて画像メモリとしているのも多い。
【００３１】
前記モデム１７は、公衆回線１９から送信されてくるアナログ信号をデジタル信号に変換し、また逆にデジタル信号をアナログ信号に変換して公衆回線で送信するためのものであり、変調、復調を行ったり、ＨＤＬＣフレームのみを受信するなど行う。前記ＮＣＵ１８は、公衆回線への接続、ファクシミリと電話の切り替え、回線へのオンフック信号の送出、リング検出などを行う。
【００３２】
ネットワークＩ／Ｆ２０は、当該複合装置１をネットワークに接続するインターフェースである。ここではパソコン（２４、２５）やプリンタ２３や図示していないその他の接続機器とネットワークケーブル２２を介して接続されている。
【００３３】
前記バス２１は、上述した各構成のデータや信号のやり取りを行うバスである。それぞれ画像データ用のバスや制御信号用のバスがあるが、ここでは略して１つで表している。
【００３４】
本願発明を採用する複合装置で、第１の節電モードより第２の節電モードのほうが節電効果が高いものとし、第１の所定時間が経過すると第１の節電モードへ切り替わる処理、第２の所定時間が経過すると第２の節電モードへ切り替わる処理、及び節電キー１０６を操作した場合に第３の節電モードへ切り替わる処理を図１０、図１１のフローチャートを用いて説明する。まずスタートの状態には、図１０の（Ａ）に示す電源がオフされている状態（Ｓ１０１）で電源ＳＷを投入すると（Ｓ１０２）、初期設定動作が行われ（Ｓ１０３）、定着温度がコピー可能になり安定待機状態（Ｓ１０４）になった状態で図１１の処理フローのスタートとなる。このとき複合装置は初期設定状態であり、画面には基本画面が表示され、コピー枚数、濃度、倍率などのジョブ設定はデフォルト設定状態になっている。また、図１０の（Ｂ）に示すようにプリント動作実行中（Ｓ２０１）で、このプリント動作が終了すると（Ｓ２０２）、設定されたジョブ状態や画面のまま図１１の処理フローのスタートとなる。コピー中にプリントジョブが割り込まれた場合に、このプリントジョブが終了すると複合装置の状態を初期設定状態にして図１１の処理のスタートとしてもよい。
【００３５】
図１１の処理のスタートから説明する。まず上記初期設定状態や、プリント動作終了後の状態になると、第１の節電モードへ移行するまでの時間を計時するタイマーｔ1と第２の節電モードへ移行するまでの時間を計時するタイマーｔ2をクリアし、このタイマーｔ１、ｔ２の計時をスタートする（Ｓ３０１）。続いて第１の節電モードへ移行するまでの時間Ｔ１と、第２の節電モードへ移行するまでの時間Ｔ２を比較し（Ｓ３０２）、Ｔ1≧Ｔ２でない場合は、第１の節電モードへ移行する時間が経過していないかを判断し（Ｓ３０３）、ｔ1≧Ｔ１の場合は第１の節電モードへ移行し（Ｓ３０４）、ｔ1≧Ｔ１でない場合は、次に節電キーが操作されたか否かを判断し（Ｓ３０５）、節電キーが操作された場合にはｔ２タイマをクリアするとともにｔ２タイマをスタートし（Ｓ３０６）、第１の節電モードへ移行する（Ｓ３０４）。Ｓ３０５で節電キーが操作されていない場合は、ジョブ設定やプリント指示など何らかの操作がされていないかを判断し（Ｓ３０７）、されていない場合はＳ３０３に戻り、されている場合は、その操作がコピーボタンの操作、ファクシミリ受信やプリンタジョブによるプリント指示であるかを判断し（Ｓ３０８）、プリント指示であれば図１０のスタートに進み、プリント指示で無ければＳ３０１に戻る。
【００３６】
Ｓ３０４で第１の節電モードへ切り替わると、次に第２の節電モードへ移行する時間が経過していないかを判断し（Ｓ３０９）、ｔ２≧Ｔ２の場合は第２の節電モードへ移行し（Ｓ３１０）、ｔ２≧Ｔ２でない場合は、次に節電キーが操作されたか否かを判断し（Ｓ３１１）、節電キーが操作された場合にはこの第１の節電モードを解除してＳ３０１に戻り、節電キーが操作されていない場合は、ファクシミリ受信やプリンタジョブによるプリント指示がされていないかを判断し（Ｓ３１３）、プリント指示があれば図１０のスタートに進み、プリント指示が無ければＳ３０９に戻る。
【００３７】
Ｓ３１０で第２の節電モードへ切り替わると、次に節電キーが操作されたか否かを判断し（Ｓ３１４）、節電キーが操作された場合にはこの第２の節電モードを解除してＳ３０１に戻り、節電キーが操作されていない場合は、ファクシミリ受信やプリンタジョブによるプリント指示がされていないかを判断し（Ｓ３１６）、プリント指示があれば図１０のスタートに進み、プリント指示が無ければＳ３１４に戻る。
【００３８】
Ｓ３０２でＴ1≧Ｔ２の場合は、次に第２の節電モードへ移行する時間が経過していないかを判断し（Ｓ３１７）、ｔ２≧Ｔ２の場合は第２の節電モードへ移行し（Ｓ３１８）、ｔ２≧Ｔ２でない場合は、次に節電キーが操作されたか否かを判断し（Ｓ３１９）、節電キーが操作された場合には第２の節電モードへ移行し（Ｓ３１８）、節電キーが操作されていない場合は、ジョブ設定やプリント指示など何らかの操作がされていないかを判断し（Ｓ３２０）、されていない場合はＳ３１７に戻り、されている場合は、その操作がコピーボタンの操作、ファクシミリ受信やプリンタジョブによるプリント指示であるかを判断し（Ｓ３２１）、プリント指示であれば図１０のスタートに進み、プリント指示で無ければＳ３０１に戻る。
【００３９】
Ｓ３１８で第２の節電モードへ切り替わると、次に節電キーが操作されたか否かを判断し（Ｓ３２２）、節電キーが操作された場合にはこの第２の節電モードを解除してＳ３０１に戻り、節電キーが操作されていない場合は、ファクシミリ受信やプリンタジョブによるプリント指示がされていないかを判断し（Ｓ３２４）、プリント指示があれば図１０のスタートに進み、プリント指示が無ければＳ３２２に戻る。
【００４０】
以上のように、図１１のフローでは、本願発明で節電キーを操作したときに移行する節電モードを第３の節電モードと定義し、第１の節電モードへ移行するまでの時間Ｔ１が、第２の節電モードへ移行するまでの時間Ｔ２より短く設定されている場合は、節電キーを操作した場合に切り替わる第３の節電モードは第１の節電モードであり（Ｓ３０５→Ｓ３０６→Ｓ３０４）、第１の節電モードへ移行するまでの時間Ｔ１が、第２の節電モードへ移行するまでの時間Ｔ２より長い場合は、節電キーを操作した場合に切り替わる第３の節電モードは第２の節電モードであり（Ｓ３１９→Ｓ３１８）、本願第１の発明と対応している。また、図１１のＳ３０５は、第１の節電モードへ移行するまでの時間Ｔ１と第２の節電モードへ移行するまでの時間Ｔ２が同じ場合は、節電キーを操作した場合に切り替わる第３の節電モードは第２の節電モードであり、本願第４の発明と対応している。
【００４１】
前記第１の節電モードを、操作表示部を消灯するとともに定着温度をプレヒート温度に維持しつつ、節電キーのＬＥＤを点灯した状態の低電力モード（プレヒートモードなど）とし、前記第２の節電モードを、操作表示部を消灯するとともに定着装置をオフし、かつプリンタジョブやファクシミリデータを受信できる状態のスリープモードとした場合は、本願第２の発明と対応する。
【００４２】
上記図１１のＳ３０５で、第１の節電モードへ移行するまでの時間Ｔ１が、第２の節電モードへ移行するまでの時間Ｔ２より短く設定されている場合は、節電キーのＬＥＤを安定待機状態では第１の表示（例えば消灯）し、第１の節電モードへ移行するまでの時間Ｔ１が、第２の節電モードへ移行するまでの時間Ｔ２より長い場合は、節電キーのＬＥＤを安定待機状態では第２の表示（例えば点滅）し、この節電キーのＬＥＤの表示状態を見れば、節電キーを操作したときにどのような節電モードに移行するのかが一目で確認できる。この処理は本願第３の発明と対応している。
【００４３】
最後に、上記Ｔ１、Ｔ２は特別な設定がなされない場合には工場出荷時の規定値があり不揮発性メモリに保持されているので、電源のオンオフに関わらず変更されるまで設定された時間が保持される。さらに変更された場合の設定された時間も新たに設定を変更するまで変わらない設定値である。
【図面の簡単な説明】
【００４４】
【図１】本願発明を採用する複合装置及び周辺機器のブロック図である。
【図２】本願発明を採用する複合装置の操作パネルである。
【図３】本願発明を採用する複合装置の操作パネルのＬＣＤ表示部に表示される基本画面である。
【図４】本願発明を採用する複合装置の操作パネルのＬＣＤ表示部に表示されるユーザー機能画面（機能画面の１つ）である。
【図５】本願発明を採用する複合装置の操作パネルのＬＣＤ表示部に表示される機能リスト画面（機能画面の１つ）である。
【図６】初期設定キーを操作して表示される、初期設定画面
【図７】マシン初期設定キーを操作して表示される、マシン初期設定画面
【図８】オートプレヒートモード時間を設定する画面である。
【図９】オートスリープモード時間を設定する画面である。
【図１０】本願発明を採用する複合装置の電源投入直後と、プリント終了直後の処理フロー。
【図１１】本願発明を採用する複合装置が第１の節電モード、第２の節電モードへ移行するまでの処理フローである。
【符号の説明】
【００４５】
１；複合装置
２；ＣＰＵ
３；ＲＯＭ
４；ＲＡＭ
５；メール作成手段
６；プリンタコントローラ
７；プリンタ部
８；後処理装置用Ｉ／Ｆ
９；後処理装置
１０；操作パネル
１１；スキャナ用インターフェース
１２；スキャナ部
１３；自動原稿送り装置（ＤＦ）
１４；バッファーメモリ
１５；ビットマップメモリ
１６；ＣＯＤＥＣ
１７；モデム
１８；ＮＣＵ
１９；公衆回線
２０；ネットワークＩ／Ｆ
２１；バス
２２；ネットワークケーブル
２３；プリンタ
２４、２５；ＰＣ
２６；相手方ファクシミリ
【図１】
2005217981.tif 000003
【図２】
2005217981.tif 000004
【図３】
2005217981.tif 000005
【図４】
2005217981.tif 000006
【図５】
2005217981.tif 000007
【図６】
2005217981.tif 000008
【図７】
2005217981.tif 000009
【図８】
2005217981.tif 000010
【図９】
2005217981.tif 000011
【図１０】
2005217981.tif 000012
【図１１】
2005217981.tif 000013